(57)【要約】  無線通信システム（２００）と通信する無線送受信ユニット（ＷＴＲＵ）（１１５）のユーザに提供されるマルチメディアサービス（ＭＭＳ）をサポートする無線通信システム（２００）。無線通信システム（２００）は、３ＧＰＰのＵＭＴＳ（１０５）、無線ローカルエリアネットワーク（ＷＬＡＮ）（１１０）及びＭＭＳサーバ（１２５）を含む。ＭＭＳサーバ（１２５）はＷＴＲＵ（１１５）がメッセージを読み出すまでＷＴＲＵ（１１５）のために少なくとも１つのＭＭＳメッセージをメモリ（１３０）に格納する。３ＧＰＰのＵＭＴＳ（１０５）はショートメッセージサービス（ＳＭＳ）プロキシ（２３２）を有するインターネットプロトコルショートメッセージゲートウェイ（ＩＰ−ＳＭ−ＧＷ）（２３０）を含む。ＷＴＲＵ（１１５）はＳＭＳ接続性を確立するためにＳＭＳプロキシ（２３２）に登録され、ＭＭＳ接続性を確立するためにＭＭＳサーバ（１２５）にも登録される。ＭＭＳサーバ（１２５）がＷＴＲＵ（１１５）のＭＭＳメッセージを受信する場合にＷＴＲＵ（１１５）は通知される。ＷＴＲＵ（１１５）はＭＭＳサーバ（１２５）のメモリ（１３０）からＭＭＳメッセージを読み出す。
2008508792.tif 000002
【特許請求の範囲】
【請求項１】
ショートメッセージサービス（ＳＭＳ）プロキシを有するインターネットプロトコルショートメッセージゲートウェイ（ＩＰ−ＳＭ−ＧＷ）と、マルチメディアサービス（ＭＭＳ）サーバと、無線ローカルエリアネットワーク（ＷＬＡＮ）とを含む３ＧＰＰのＵＭＴＳを備える無線通信システムにおいて、前記無線通信システムと通信する無線送受信ユニット（ＷＴＲＵ）のユーザに提供されるＭＭＳをサポートする方法であって、
前記方法は、
（ａ）ＳＭＳ接続性を確立するために前記ＳＭＳプロキシに前記ＷＴＲＵを登録するステップと、
（ｂ）ＭＭＳ接続性を確立するために前記ＭＭＳサーバに前記ＷＴＲＵを登録するステップと、
（ｃ）前記ＭＭＳサーバが前記ＷＴＲＵのＭＭＳメッセージを受信する場合に前記ＷＴＲＵに通知するステップと、
（ｄ）前記ＷＴＲＵが前記ＭＭＳメッセージを前記ＭＭＳサーバから読み出すステップと
を備えることを特徴とする方法。
【請求項２】
前記ステップ（ａ）は、前記ＷＴＲＵと前記ＷＬＡＮとの間でＳＭＳトンネル接続を確立するステップをさらに備えることを特徴とする請求項１に記載の方法。
【請求項３】
前記ステップ（ｂ）は、前記ＷＴＲＵに関連したユーザの電話番号を前記ＭＭＳサーバに提供するステップをさらに備えることを特徴とする請求項１に記載の方法。
【請求項４】
前記ステップ（ｃ）は、前記ＭＭＳサーバが、前記ＭＭＳサーバから読み出されることを待っているＭＭＳメッセージが存在することをユーザに通知するＳＭＳメッセージを前記ＷＴＲＵに送信するステップをさらに備えることを特徴とする請求項１に記載の方法。
【請求項５】
（ｅ）前記ＷＴＲＵと前記ＷＬＡＮとの間のＭＭＳトンネル接続を確立するステップをさらに備えることを特徴とする請求項１に記載の方法。
【請求項６】
前記ステップ（ｂ）は、前記ＷＴＲＵに関連したインターネットプロトコル（ＩＰ）アドレスをインターネットを介して前記ＭＭＳサーバに提供するステップをさらに備えることを特徴とする請求項１に記載の方法。
【請求項７】
無線通信システムと通信する無線送受信ユニット（ＷＴＲＵ）のユーザに提供されるマルチメディアサービス（ＭＭＳ）をサポートする前記無線通信システムであって、
ショートメッセージサービス（ＳＭＳ）プロキシを有するインターネットプロトコルショートメッセージゲートウェイ（ＩＰ−ＳＭ−ＧＷ）を含む３ＧＰＰのＵＭＴＳと、
無線ローカルエリアネットワーク（ＷＬＡＮ）と、
前記３ＧＰＰのＵＭＴＳおよび前記ＷＬＡＮと通信するＭＭＳサーバと、
ＳＭＳ接続性を確立するために前記ＷＴＲＵを前記ＳＭＳプロキシに登録する手段と、
ＭＭＳ接続性を確立するために前記ＷＴＲＵをＭＭＳサーバに登録する手段と
を備え、
前記ＭＭＳサーバは、前記ＭＭＳサーバが前記ＷＴＲＵのＭＭＳメッセージを受信する場合に、前記ＷＴＲＵに通知し、前記ＷＴＲＵは、前記ＭＭＳサーバから前記ＭＭＳメッセージを読み出すことを特徴とする無線通信システム。
【請求項８】
前記ＷＴＲＵと前記ＷＬＡＮとの間でＳＭＳトンネル接続を確立する手段をさらに備えたことを特徴とする請求項７に記載の無線通信システム。
【請求項９】
前記ＷＴＲＵのユーザは、前記ＷＴＲＵに関連したユーザの電話番号を前記ＭＭＳサーバに提供し、前記ＷＴＲＵを前記ＭＭＳサーバに登録することを特徴とする請求項７に記載の無線通信システム。
【請求項１０】
前記ＭＭＳサーバが、
ＭＭＳメッセージを格納するメモリと、
前記メモリから読み出されることを待っているＭＭＳメッセージが存在することをユーザに通知するＳＭＳメッセージを前記ＷＴＲＵに送信する手段と
を備えたことを特徴とする請求項７に記載の無線通信システム。
【請求項１１】
前記ＷＴＲＵと前記ＷＬＡＮとの間でＭＭＳトンネル接続を確立する手段をさらに備えたことを特徴とする請求項７に記載の無線通信システム。
【請求項１２】
前記ＷＴＲＵのユーザは、前記ＷＴＲＵに関連したインターネットプロトコル（ＩＰ）アドレスを提供し、インターネットを介して前記ＷＴＲＵを前記ＭＭＳサーバに登録することを特徴とする請求項７に記載の無線通信システム。
【発明の詳細な説明】
【技術分野】
【０００１】
本発明は、少なくとも１つの無線送受信ユニット（ＷＴＲＵ）、３ＧＰＰ（Third Generation Partnership Project）のＵＭＴＳ（universal mobile telecommunications system）、マルチメディアサービス（ＭＭＳ）サーバ、および無線ローカルエリアネットワーク（ＷＬＡＮ）を含む無線通信システムに関する。より詳細には、本発明は、ＷＴＲＵが３ＧＰＰのＵＭＴＳおよびＭＭＳサーバに登録できるようにし、ＷＴＲＵがＷＬＡＮ上でＭＭＳサーバからＭＭＳメッセージを読み出すことができることに関する。
【背景技術】
【０００２】
無線通信システムにおけるＷＬＡＮの実装は、劇的に拡大して有線のコンピュータネットワークに取って代わっている。ＷＬＡＮを使用して、エンドユーザはフレキシビリティや移動の自由などの利点を得ることができる。ＷＬＡＮは免許不要で運営するため、より速いビットレートを提供し、かつコストが安い。加えて、現在のＷＬＡＮのアーキテクチャーは、インターネットベースのサービスの配信に対してＷＴＲＵが存在することを保証するためにＷＴＲＵを呼び出す（page）能力と機構を欠いている。
【発明の開示】
【発明が解決しようとする課題】
【０００３】
既存の３ＧＰＰのＵＭＴＳシステムは、ＭＭＳなどのインターネットベースのサービスへのアクセスをＷＴＲＵユーザに提供する。ＭＭＳは、グラフィックス、ビデオチップ、音声ファイル、およびショートテキストメッセージ（すなわち、電子メール）を無線ネットワーク上で伝送する蓄積交換（store-and-forward）方法である。３ＧＰＰシステムと相互作用するＷＬＡＮを使用して３ＧＰＰベースのサービスを提供する無線通信システムを実装することが望ましい。
【課題を解決するための手段】
【０００４】
本発明は、ＷＬＡＮと相互作用する３ＧＰＰのＵＭＴＳ上でＭＭＳをサポートする無線通信システムにおいて実装される。３ＧＰＰのＵＭＴＳは、ショートメッセージサービス−サービスセンタ（ＳＭＳ−ＳＣ）、ＳＭＳ−ゲートウェイモバイルスイッチングセンタ（ＳＭＳ−ＧＭＳＣ）／ＳＭＳ−相互作用モバイルスイッチングセンタ（ＭＳＣ）（ＳＭＳ−ＩＷＭＳＣ）、ホームロケーションレジスタ（ＨＬＲ）／ホーム加入者サーバ（ＨＳＳ）、認証、承認、および課金（ＡＡＡ）サーバ、ＳＭＳプロキシとＩＰアドレスデータベースへのアクセスとを有するＩＰショートメッセージゲートウェイ（ＩＰ−ＳＭ−ＧＷ）、およびパケットデータゲートウェイ（ＰＤＧ）を含む。３ＧＰＰのＵＭＴＳおよびＷＬＡＮは、インターネットを介してＭＭＳサーバにアクセスする。
【０００５】
ＷＴＲＵは、ＩＰショートメッセージゲートウェイ（ＩＰ−ＳＭ−ＧＷ）およびパケットデータゲートウェイ（ＰＤＧ）を介して３ＧＰＰのＵＭＴＳとＷＬＡＮとの間にＳＭＳトンネル接続（tunnel connection）を確立する。ＳＭＳトンネル接続は、ＷＬＡＮ上でＭＭＳをサポートするために確立される。ＷＴＲＵは、ＩＰ−ＳＭ−ＧＷ内のＳＭＳプロキシに登録し、ＳＭＳ接続性（connectivity）を確立する。ＷＴＲＵは、ＭＭＳサーバにも登録し、自らの移動局国際ＩＳＤＮ番号（ＭＳＩＳＤＮ）（すなわち、電話番号）を提供する。ＭＭＳメッセージがＭＭＳサーバによって受信されると、ＭＭＳサーバは、ＭＳＩＳＤＮを使用してＷＬＡＮを介してＳＭＳメッセージをＷＴＲＵに送信する。ＭＭＳサーバは、ＷＴＲＵがＳＭＳメッセージを読み出すまでＭＭＳメッセージをメモリに格納する。ＳＭＳメッセージは、ＷＴＲＵのユーザにＭＭＳメッセージが受信されたことを知らせる。ＷＴＲＵのユーザは、関連するＭＭＳアカウントにアクセスし、ＭＭＳメッセージを読み出す。
【発明を実施するための最良の形態】
【０００６】
以下、「ＷＴＲＵ」という用語は、ユーザ機器（ＵＥ）、移動局、固定式または移動式の加入者ユニット、ページャ、または無線環境で動作可能な他の種類の装置に限定されないが、含む。
【０００７】
本発明は、図１に示すように、ＭＭＳをサポートする無線通信システム１００において実装される。無線通信システム１００は、３ＧＰＰのＵＭＴＳ１０５、ＷＬＡＮ１１０、および本発明に係る、インターネット１２０上でＭＭＳサーバ１２５に登録することによってＭＭＳ接続性を確立する少なくとも１つのＷＴＲＵ１１５を含む。ＭＭＳサーバ１２５は、ＷＴＲＵ１１５によってアクセス可能なＭＭＳメッセージを格納するためのメモリ１３０を含む。
【０００８】
図２は、本発明に係るＭＭＳをサポートする無線通信システム２００のブロック図である。システム２００は、インターネット１２０を介してマルチメディアサービスを提供するＳＭＳ−ＳＣ２１０と、ＳＭＳ−ＧＭＳＣ／ＳＭＳ−ＩＷＭＳＣ２１５と、ＨＬＲ／ＨＳＳ２２０と、ＡＡＡサーバ２２５と、ＳＭＳプロキシプラットホーム２３２およびＩＰアドレスデータベース２３５へのアクセスを有するＩＰ−ＳＭ−ＧＷ２３０と、ＰＤＧ２４０とを備える３ＧＰＰのＵＭＴＳ１０５を含む。
【０００９】
ＳＭＳ−ＧＭＳＣ／ＳＭＳ−ＩＷＭＳＣ２１５は、２つの機能、すなわち、ＳＭＳ−ＧＭＳＣ機能とＳＭＳ−ＩＷＭＳＣ機能とを有する。ＳＭＳ−ＧＭＳＣ機能は、ショートメッセージを受信し、情報をルーティングするためにＨＬＲ／ＨＳＳ２２０に問い合わせを行う（interrogate）。ＳＭＳ−ＩＷＭＳＣ機能は、ＷＴＲＵ１１５から受信したショートメッセージを、インターネット１２０を介してＳＭＳ−ＳＣ２１０およびＭＭＳサーバ１２５に転送する。
【００１０】
ＷＬＡＮ１１０は、少なくとも１つのＷＴＲＵ１１５にＭＭＳを提供する。ＨＳＳ／ＨＬＲ２２０は、どのＷＴＲＵがＷＬＡＮ１１０にアクセスすることができるか、どのようなサービスをＷＴＲＵ１１５が使用することを許可されているか、および各ＷＴＲＵ１１５の課金記録に関する情報を格納するＡＡＡサーバ２２５と通信する。ＨＳＳ／ＨＬＲ／ＡＡＡの動作についての更なる詳細は、２００５年４月２２日に出願された「ＲＥＰＯＲＴＩＮＧ  ＴＥＲＭＩＮＡＬ  ＣＡＰＡＢＩＬＩＴＩＥＳ  ＦＯＲ  ＳＵＰＰＯＲＴＩＮＧ  ＳＨＯＲＴ  ＭＥＳＳＡＧＥ  ＳＥＲＶＩＣＥ」というタイトルの同時係属出願番号１１／１１２５０３に見つけることができ、あたかも本明細書で十分に説明しているかのように言及することにより組み込まれる。
【００１１】
図３は、本発明の一実施形態に係る、ＭＭＳサーバ１２５に登録する場合、ＷＴＲＵ１１５の電話番号を提供するユーザによってＷＬＡＮ１１０上でＭＭＳを確立する方法ステップを含むプロセスのフロー図である。ステップ３０５において、ＳＭＳトンネル接続は、ＷＴＲＵ１１５、ＷＬＡＮ１１０およびＰＤＧ２４０を介して確立される。ステップ３１０において、ＨＬＲ２２０のレコードはアップデートされる。ＨＬＲ２２０は、ＷＴＲＵ１１５を位置づけるのに必要な情報および入ってくるＭＭＳサービスをどのようにルーティングするかの情報へのアクセスを有する。ＷＴＲＵ１１５が登録されてＷＬＡＮ１１０を介してＳＭＳおよびＭＭＳサービスを受信する場合、ＨＬＲ２２０はＳＭＳメッセージに含まれたＭＳＩＳＤＮによって特定された、ＷＴＲＵ１１５の位置に関するクエリを受信することに応答してＩＰ−ＳＷ−ＧＷアドレスをリターンする。
【００１２】
ステップ３１５において、ＷＴＲＵ１１５は、ＳＭＳプロキシ２３２に登録されてＳＭＳ接続性を確立する。ステップ３２０において、ＷＴＲＵは、ＭＭＳサーバ１２５に登録されてＭＭＳ接続性を確立する。ＷＴＲＵ１１５のユーザは、ＷＴＲＵ１１５に関連した電話番号（すなわち、ＭＳＩＳＤＮ）をＭＭＳサーバ１２５に提供することができる。新たなＭＭＳメッセージがＭＭＳサーバ１２５に到着した場合、ＭＭＳサーバ１２５は、ＷＴＲＵ１１５のユーザにＭＭＳサーバ１２５において読み出しを待っているＭＭＳメッセージが存在することを警告するＳＭＳメッセージをＷＴＲＵ１１５に送信する（ステップ３２５およびステップ３４０）。ＳＭＳメッセージは、ＨＬＲ／ＨＨＳ２２０および／またはＡＡＡサーバ２２５からルーティング情報（すなわち、ＷＴＲＵ１１５に関連したＰＤＧ／ＳＭＳサーバアドレス）を読み出すことによってルーティングされる（ステップ３３０、３３５）。ステップ３４５において、ＷＴＲＵ１１５はＭＭＳメッセージをＭＭＳサーバ１２５のメモリ１３０から読み出す。
【００１３】
図４は、本発明の他の実施形態に係る、ＭＭＳサーバ１２５に登録する場合にＷＴＲＵのユーザのＩＰアドレスを提供することによってＷＬＡＮ１１０上でＭＭＳを確立するための方法ステップを含むＩＰプロセスのフロー図である。ステップ４０５において、ＭＭＳトンネル接続は、ＷＴＲＵ１１５とＷＬＡＮ１１０との間で確立される。ステップ４１０において、ＨＬＲ２２０のレコードは、ステップ３１５に関して説明したように類似の方法でアップデートされる。ステップ４１５において、ＷＴＲＵ１１５は、ＷＴＲＵ１１５に関連したＩＰアドレスを使用してＭＭＳサーバ１２５に登録される。ステップ４２０において、新たなＭＭＳサービスが確立され、ＷＴＲＵ１１５のユーザはＭＭＳサーバ１２５において読み出しを待っているＭＭＳメッセージが存在することを警告される（ステップ４２０）。ステップ４２５において、ＷＴＲＵ１１５はＭＭＳメッセージをＭＭＳサーバ１２５のメモリ１３０から読み出す。
【００１４】
ＷＴＲＵ１１５が長期間の間アイドル状態のままである場合、ＷＴＲＵ１１５とＷＬＡＮ１１０との間で確立した接続は終了する。
【００１５】
ＷＴＲＵ１１５は、ＳＭＳプロキシ２３２および／またはＭＭＳサーバ１２５に定期的に登録し、ＷＬＡＮ１１０とＭＭＳサーバ１２５との間の接続を維持する。
【００１６】
ＷＴＲＵ１１５のユーザは、サービス終了要求を開始し、ＷＬＡＮ１１０上の未決のアクティビティを終了することができる。
【００１７】
本発明の特徴および構成要素が好ましい実施形態において特定の組み合わせで説明されたが、それぞれの特徴または構成要素は、単独で（好ましい実施形態の他の特徴および構成要素なしで）使用されることが可能であり、またはさまざまな組み合わせにおいて本発明の他の特徴および構成要素を使用して、または使用しないで使用されることが可能である。
【図面の簡単な説明】
【００１８】
【図１】本発明に係るＷＬＡＮと相互作用する３ＧＰＰのＵＭＴＳを含む無線通信システムのブロック図である。
【図２】図１の無線通信システムの詳細なブロック図である。
【図３】本発明の一実施形態に係る、ＭＭＳサーバに登録する場合にＷＴＲＵのユーザの電話番号を提供することによってＷＬＡＮ上でＭＭＳを確立する方法のフロー図である。
【図４】本発明の他の実施形態に係る、ＭＭＳサーバに登録する場合にＷＴＲＵのユーザのＩＰアドレスを提供することによってＷＬＡＮ上でＭＭＳを確立する方法のフロー図である。
【図１】
2008508792.tif 000003
【図２】
2008508792.tif 000004
【図３】
2008508792.tif 000005
【図４】
2008508792.tif 000006
【手続補正書】
【提出日】平成18年4月28日(2006.4.28)
【手続補正１】
【補正対象書類名】特許請求の範囲
【補正対象項目名】全文
【補正方法】変更
【補正の内容】
【特許請求の範囲】
【請求項１】
ショートメッセージサービス（ＳＭＳ）プロキシを有するインターネットプロトコルショートメッセージゲートウェイ（ＩＰ−ＳＭ−ＧＷ）と、マルチメディアサービス（ＭＭＳ）サーバと、無線ローカルエリアネットワーク（ＷＬＡＮ）とを含む３ＧＰＰのＵＭＴＳを備える無線通信システムにおいて、前記無線通信システムと通信する無線送受信ユニット（ＷＴＲＵ）のユーザに提供されるＭＭＳをサポートする方法であって、
前記方法は、
（ａ）ＳＭＳ接続性を確立するために前記ＳＭＳプロキシに前記ＷＴＲＵを登録するステップと、
（ｂ）ＭＭＳ接続性を確立するために前記ＭＭＳサーバに前記ＷＴＲＵを登録するステップと、
（ｃ）前記ＭＭＳサーバが前記ＷＴＲＵのＭＭＳメッセージを受信する場合に前記ＷＴＲＵに通知するステップと、
（ｄ）前記ＷＴＲＵが前記ＭＭＳメッセージを前記ＭＭＳサーバから読み出すステップと、
（ｅ）前記ＷＴＲＵと前記ＷＬＡＮとの間のＭＭＳトンネル接続を確立するステップと
を備えることを特徴とする方法。
【請求項２】
前記ステップ（ａ）は、前記ＷＴＲＵと前記ＷＬＡＮとの間でＳＭＳトンネル接続を確立するステップをさらに備えることを特徴とする請求項１に記載の方法。
【請求項３】
前記ステップ（ｂ）は、前記ＷＴＲＵに関連したユーザの電話番号を前記ＭＭＳサーバに提供するステップをさらに備えることを特徴とする請求項１に記載の方法。
【請求項４】
前記ステップ（ｃ）は、前記ＭＭＳサーバが、前記ＭＭＳサーバから読み出されることを待っているＭＭＳメッセージが存在することをユーザに通知するＳＭＳメッセージを前記ＷＴＲＵに送信するステップをさらに備えることを特徴とする請求項１に記載の方法。
【請求項５】
前記ステップ（ｂ）は、前記ＷＴＲＵに関連したインターネットプロトコル（ＩＰ）アドレスをインターネットを介して前記ＭＭＳサーバに提供するステップをさらに備えることを特徴とする請求項１に記載の方法。
【請求項６】
無線通信システムと通信する無線送受信ユニット（ＷＴＲＵ）のユーザに提供されるマルチメディアサービス（ＭＭＳ）をサポートする前記無線通信システムであって、
ショートメッセージサービス（ＳＭＳ）プロキシを有するインターネットプロトコルショートメッセージゲートウェイ（ＩＰ−ＳＭ−ＧＷ）を含む３ＧＰＰのＵＭＴＳと、
無線ローカルエリアネットワーク（ＷＬＡＮ）と、
前記３ＧＰＰのＵＭＴＳおよび前記ＷＬＡＮと通信するＭＭＳサーバと、
ＳＭＳ接続性を確立するために前記ＷＴＲＵを前記ＳＭＳプロキシに登録する手段と、
ＭＭＳ接続性を確立するために前記ＷＴＲＵをＭＭＳサーバに登録する手段と、
前記ＷＴＲＵと前記ＷＬＡＮとの間でＭＭＳトンネル接続を確立する手段と
を備え、
前記ＭＭＳサーバは、前記ＭＭＳサーバが前記ＷＴＲＵのＭＭＳメッセージを受信する場合に、前記ＷＴＲＵに通知し、前記ＷＴＲＵは、前記ＭＭＳサーバから前記ＭＭＳメッセージを読み出すことを特徴とする無線通信システム。
【請求項７】
前記ＷＴＲＵと前記ＷＬＡＮとの間でＳＭＳトンネル接続を確立する手段をさらに備えたことを特徴とする請求項６に記載の無線通信システム。
【請求項８】
前記ＷＴＲＵのユーザは、前記ＷＴＲＵに関連したユーザの電話番号を前記ＭＭＳサーバに提供し、前記ＷＴＲＵを前記ＭＭＳサーバに登録することを特徴とする請求項６に記載の無線通信システム。
【請求項９】
前記ＭＭＳサーバが、
ＭＭＳメッセージを格納するメモリと、
前記メモリから読み出されることを待っているＭＭＳメッセージが存在することをユーザに通知するＳＭＳメッセージを前記ＷＴＲＵに送信する手段と
を備えたことを特徴とする請求項６に記載の無線通信システム。
【請求項１０】
前記ＷＴＲＵのユーザは、前記ＷＴＲＵに関連したインターネットプロトコル（ＩＰ）アドレスを提供し、インターネットを介して前記ＷＴＲＵを前記ＭＭＳサーバに登録することを特徴とする請求項６に記載の無線通信システム。
【国際調査報告】
2008508792.tif 000007